(57)【特許請求の範囲】
【請求項１】
先端部にテーパー嵌合構造を形成した支持胴と控えパネルを連結した控えブロックと、表面パネルの裏面に控えブロックの上記テーパー嵌合構造に対応して嵌合するテーパー嵌合構造を形成した表面ブロックとから成る擁壁用大型ブロック
【請求項２】
表面ブロックのテーパー嵌合構造嵌合面に嵌合ピンを植設し、控えブロックの嵌合受構造面に嵌合ピンが嵌入される嵌合孔を穿設すると共に、嵌合孔内に接着剤を充填したカプセルを装填しておき、控えブロックに対して表面ブロックが落とし込まれると、嵌合ピンが嵌合孔に嵌入され、同時に接着剤カプセルが破砕されて接着剤と嵌合ピンにより控えブロックと表面ブロックが合体固定されるようにした請求項１記載の擁壁用大型ブロック
【請求項３】
表面ブロックを、表面ブロックのテーパー嵌合構造部に対して、構築される擁壁の傾斜角度に対応した任意の角度に傾斜させて表面パネルを接合して形成するようにした請求項１又は請求項２記載の擁壁用大型ブロック
【請求項４】
表面ブロックの表面パネルと控えブロックの控えパネルを、両ブロックのテーパー嵌合構造部に対して、構築される擁壁の傾斜角度に対応した任意の角度に傾斜させ、嵌合接合により両パネルが平行傾斜して形成されるようにした請求項１又は請求項２記載の擁壁用大型ブロック
【請求項５】
控えパネルと支持胴の基部を成形するように構成した型枠本体に対して、支持胴の先端テーパー嵌合構造部の型枠の着合位置を進退調整可能に構成し、型枠本体の支持胴基部成形部に対して支持胴の先端テーパー嵌合構造部の型枠が任意の支持胴長さ位置において着合固定できるように構成したことを特徴とする擁壁用大型ブロックの控えブロックの成形型枠
【発明の詳細な説明】
【０００１】
【産業上の利用分野】
本発明は、積上げにより土留擁壁等の擁壁を構築する擁壁用大型ブロックと、その控え部を構成する控えブロックの成形型枠に関するものである。
【０００２】
【従来の技術】
従来、擁壁用大型ブロックは図１２に示すように全体として直方体形状に形成したブロック７の両側に上面７１から底面７２に貫通する中空部７３、７３を設け、積上げ時に上段ブロックから下段ブロックにその中空部を通じて鉄筋等の支持部材を挿通して積上げたブロックの倒壊を防止しながら積上げが行なわれるように構成されてきている。
【０００３】
【発明が解決しようとする課題】
重機や施工機械の発達により、工事現場での施工性の良い大型ブロックが河川の災害復旧工事や道路擁壁の構築に用いられるようになってきているが、ブロック成形過程においては、型枠の大型化による型枠価格の高騰、製品重量の増大によるホイストクレーン等の工場内移動設備費の増加、仕上がり製品の搬送運賃増等、コスト面での問題が生じてきている。
【０００４】
また、従来のブロックは、前記のように積上げられた上下のブロックに倒壊防止のための支持部材を挿通する貫通中空部を設けているが、成形型枠においてはこれを中子によって成形しなければならない形状となっているため、成形後の中子の引抜きに高度の技術が必要であり、中子の引抜時に成形品が割れてしまう等の問題があった。
【０００５】
更に、構築される擁壁について様々なバリエーションが求められるようになり、１つの擁壁に単一形状のブロックを単純に積上げるだけでは対応できず、傾斜擁壁などでは積上げに従って控え長さを変化させたり、控えに対してブロック表面に傾斜角をもたせることや表面パネルと控えパネルが平行傾斜して水平積みにより擁壁表面と控え面が平行傾斜して構築されるブロックなどが必要となってきている。
【０００６】
従来の成形方式で行けば、基本的な形状は同一でも控え長さが異なれば、それぞれの長さに対応した別の型枠が必要となり、型枠製作費だけで多額の経費が掛り、その分だけコスト高を招くといった問題もある。
【０００７】
【課題を解決するための手段】
本発明は、ブロックを表面ブロックと控えブロックに分割し、２つのブロックをテーパー嵌合構造により現場等で１つのブロックに結合するようにして重量問題に対処すると共に、基本的な形状が同一でありながら控え長さについて多様性を求められる控えブロックについて、表面ブロックとの嵌合による控え長さの調整と成形の段階における型枠の活用を可能としたものである。
【０００８】
また、単位ブロックの基本形状を、表面パネルと控えパネルを１又は複数の支持胴によって連結した構成とし、支持胴の部位において着脱可能に表面ブロックと控えブロックを分割することにより、表面ブロックだけを変えてブロックを変化させ、或いは表面パネルと控えパネルの支持胴に対する角度を変化させることによりブロックに対する多様なニーズへの対応を可能とした。
【０００９】
更に、表面ブロックと控えブロックの嵌合結合により表面パネルと控えパネルを連結する支持胴の間隙が必然的に中空部を構成することになるので、引抜等に問題のある中子成形を行わずに中空部の形成を行うことができ、控えブロックの成形型枠において支持胴の長さ調整を行うことにも対応でき、成形型枠の効率的な活用にも寄与することができたものである。
【００１０】
【実  施  例】
以下図面に従って本発明の実施例を説明する。１は本発明による擁壁用大型ブロックの控えブロックであり、先端部にテーパー嵌合構造１３を形成した２本の支持胴１２、１２を控えパネル１１で連結して構成されている。
【００１１】
２は表面ブロックで、表面パネル２１の裏面に控えブロック１のテーパー嵌合構造１３に対応して嵌合するテーパー嵌合構造２２を形成して構成され、嵌合構造１３と嵌合構造２２が嵌合結合することにより、１つの単位ブロックである擁壁用大型ブロックＡが構成される。
【００１２】
控えブロック１のテーパー嵌合構造１３の嵌合面には、表面ブロック２のテーパー嵌合構造２２の嵌合面に植設されたピン２３が嵌入される嵌合孔１４が穿設されており、工場または積み上げ現場において控えブロック１に対して表面ブロック２が落とし込まれると、ピン２３が嵌合孔１４に嵌入されて控えブロック１と表面ブロック２が合体固定される。
【００１３】
嵌合孔１４には、必要に応じて接着剤カプセル等を仕込み、ピン２３の嵌入によりカプセルが破砕されて嵌合孔１４内に接着剤が充填され、ピン２３と嵌合孔１４が接着剤により接着されて控えブロック１と表面ブロック２の固定を完全なものにすることもできる。
【００１４】
図６は本発明によるブロックを用いたブロック積みにより擁壁を構築する場合の積み上げ形態を縦断側面図によって示すものであるが、（１）の場合は単位ブロックは同一形状で表面パネル２１はテーパー嵌合構造２２に水平に接合しており、（２）の場合は単位ブロックは同一形状で表面パネル２１が図２に示すようにテーパー嵌合構造２２に傾斜接合し、（３）の場合は表面パネル２１がテーパー嵌合構造２２に傾斜接合し、積み上げ段ごとに支持胴１２の長さが異なってきている。なお、（４）は表面パネル２１と控えパネル１１が平行傾斜して形成され、水平積みにより擁壁表面と控え面が平行傾斜して構築される積み上げ構造を示すものである。
【００１５】
この場合、（１）と（２）は控えブロックの形は同一であるから、控えブロックについては単一の成形型枠で成形でき、表面ブロックについて特別の成形型枠を調製すれば良い。しかしながら、（３）の場合は、表面ブロックの形は（２）と同一であり、控えブロックの支持胴１２の長さが積み上げ段ごとに異なってきている。
従って、積み上げ段ごとに支持胴１２の長さが異なる特別の成形型枠を調製する必要が生じてくる。
【００１６】
次に上記のように積み上げ段ごとに支持胴１２の長さが異なってくる控えブロックを単一の型枠により成形する成形型枠の実施例について説明する。
４は型枠本体を構成する基台盤で略台形に構成され、その基端部に妻板４１、先端側に妻板４２、両側側板４３、４４がそれぞれ下端基部を蝶番４５、４５・・によって外側に回動して開閉するように取付けられている。
【００１７】
基台盤４の先端側中央部には、控えパネル１１の成形部の幅を残して２本の支持胴１２、１２を成形区画する中型５が取付け固定され、その両側面と本体の両側側板４３、４４の内側壁面によって支持胴１２、１２の成形部５１、５１が区画構成される。
【００１８】
成形部５１、５１の底部には、それぞれ支持胴１２、１２の長さを規定するスライドアタッチメント６、６が任意の支持胴長さ位置において着合固定できるように、段階的な間隔をもってアタッチメント６、６の取付け孔６１、６１・・が設けられ、基台盤３に中型５を取付け固定し、所定の支持胴長さ位置にスライドしてアタッチメント６、６を取付けて所要の控えブロックの成形規制が行われる。
【００１９】
スライドアタッチメント６、６は、本体基部側下部に支持胴の先端テーパー嵌合構造部の形状に凹陥する成形部５２が形成され、上面には成形後、脱型時にアタッチメントを吊り上げるフック６２、取付け基部には取付ボルトサポート用パイプ６３が埋め込まれて、これを通して取付け孔６１と螺合する取付ボルト６４がアタッチントに挿通されるようになっている。
【００２０】
また、支持胴のテーパー嵌合構造成形部５２の嵌合面成形下面にはインサートナット取付用治具６５が設けられ、成形品の嵌合部上面にインサート用ナットが成形と同時に設定されるようになっている。
【００２１】
中型５は、基部側中央部内側に先端側幅の拡縮操作に対応するクサビ状支点部５３、先端側に基台盤３への取付け時や脱型時に先端側幅の拡縮操作を行うターンバックル５４、上面には吊り上げ用フック５５が設けられている。
【００２２】
以上のように構成された型枠は、先ず、基台盤３の先端側中央部に中型５を取付け、その両側に取付ボルト６４と取付け孔６１により所定の支持胴長さに位置調整してアタッチメント６、６を取付けると共に、両側側板３３、３４を閉じて妻板３１、妻板３２が嵌合係止されて型枠が完成される。
【００２３】
成形品成形スペースＳにコンクリート等の成形材料を充填し、養生した後の脱型は、先ず、両側側板４３、４４、妻板４１、４２を回動して開き、ターンバックル５４により中型５の先端側幅を縮幅してアタッチメント６、６及び成形品との接合部を剥離すると共に、取付ボルト６４を外してフック６２によりアタッチメント６、６を上方に吊り上げて脱型し、更に、フック５５により中型５を上方に吊り上げて脱型するように構成されている。
【００２４】
本発明は以上のように構成したので、重量と体積が大きくて取扱い難い大型ブロックを、控えブロック１と表面ブロック２に分割して任意の場所で嵌合して用いることができ、移動、搬送や取扱いに便宜なものとすることができた。
【００２５】
また、控えブロックをベースとして、表面ブロックを取り替えても同一形状の控えブロックを用いることができるので、型枠の種類を大幅に減少させることができると共に、表面ブロックの設計を変化させるだけで多様な形態の擁壁に対応することができるものである。
【００２６】
また、控えパネル１１と表面パネル２１を支持胴１２によって連結する構成を基本構成としたので、パネルと連結支持胴によって構成される空間が中空部１５を構成し、ブロックの重量軽減に資すると共に、中空部１５に植栽土を充填して図５に示すように擁壁面に植栽を行なうこともできる等、多様な利点を有している。
【図面の簡単な説明】
【図１】本発明の実施例を示すもので、控えブロックと表面ブロックの嵌合状况を示す分解斜視図である。
【図２】同じく、表面パネルに傾斜を持たせた表面ブロックの実施例を示す斜視図である。
【図３】同じく、表面パネルに傾斜を持たせた表面ブロックに控えブロックを嵌合した場合の実施例を示す斜視図である。
【図４】同じく、図３の嵌合部における嵌合ピンと嵌合孔との嵌合状况を示す嵌合部の断面図である。
【図５】同じく、表面パネルと控えパネルが平行傾斜して水平積みにより擁壁表面と控え面が平行傾斜して構築されるブロックの実施例を示す斜視図である。
【図６】同じく、本発明によるブロックの変化と積重ね形態の実施例を示す各積重ね状態の縦断側面図で、（１）は支持胴に対して表面パネルを垂直に連結したブロックの積重ね形態例、（２）は支持胴に対して表面パネルを傾斜連結したブロックの積重ね形態例、（３）は支持胴に対して表面パネルを傾斜連結し、控えブロックの支持胴の長さに変化を与えたブロックの積重ね形態例、（４）は支持胴に対して表面パネルと控えパネルが平行傾斜して水平積みにより擁壁表面と控え面が平行傾斜して構築されるブロックの積重ね形態例である。
【図７】同じく、本発明によるブロックを植栽ブロックとした積重ね形態の実施例を示す各積重ね状態の縦断側面図である。
【図８】同じく、控えブロックの支持胴の長さに変化を与えるブロック成形型枠の一例を示す型枠本体基台盤の平面図である。
【図９】同じく、図５の成形型枠の組立て状態における平面図である。
【図１０】同じく、図５の成形型枠の一部を切欠断面して要部の構造を示す左側面図である。
【図１１】同じく、図５の成形型枠の中型を基台盤に設定した状態を示す中型の斜視図である。
【図１２】従来の擁壁用大型ブロックの斜視図である。
【符号の説明】
１      控えブロック
１１      控えパネル
１２      支持胴
１３      控えブロックのテーパー嵌合構造
１４      嵌合面のピン嵌合孔
１５      ブロックの中空部
２      表面ブロック
２１      表面パネル
２２      表面ブロックのテーパー嵌合構造
２３      嵌合面に植設されたピン
３      控えブロックの支持胴長さ調整成形型枠本体
３１      支持胴成形基部
３２      テーパー嵌合構造部の型枠
３３      型枠の伸縮構造部
４      型枠本体を構成する基台盤
４１      基端側妻板
４２      先端側妻板
４３・４４  両側側板
４５      開閉蝶番
５      中型
５１      支持胴の成形部
５２      テーパー嵌合構造成形部
５３          クサビ状支点部
５４      ターンバックル
５５      吊り上げ用フック
６      スライドアタッチメント
６１      アタッチメントの位置調整取付け孔
６２      吊り上げフック
６３          取付ボルトサポート用パイプ
６４          アタッチメント取付ボルト
６５      インサートナット取付用治具
７          従来の擁壁用大型ブロック
７１          従来の擁壁用大型ブロックの上面
７２          従来の擁壁用大型ブロックの底面
７３          従来の擁壁用大型ブロックの中空部
Ａ          単位ブロックとなる擁壁用大型ブロック
Ｂ          擁壁面の植栽
Ｓ      成形品成形スペース
【図１】
0003556920.tif 000002
【図２】
0003556920.tif 000003
【図３】
0003556920.tif 000004
【図４】
0003556920.tif 000005
【図５】
0003556920.tif 000006
【図６】
0003556920.tif 000007
【図７】
0003556920.tif 000008
【図８】
0003556920.tif 000009
【図９】
0003556920.tif 000010
【図１０】
0003556920.tif 000011
【図１１】
0003556920.tif 000012
【図１２】
0003556920.tif 000013